(57)【要約】【課題】予測不可能な動作を実現し得る演出装置を備えた遊技台を提供する。【解決手段】スロットマシン１００の前面扉１０２の左右両側に設けた演出装置取付凹部１９０に装着される演出装置２１０は、無色あるいは有色で透明な透視カバー２１１の背面側開口を支持ベース２１２で閉塞することにより、その内部に空気が流れ動く流体流動空部が形成されるケース体を構成し、支持ベース２１２の下部に開設した下部流入口は、支持ベース２１２が固定される演出装置取付凹部１９０の下部連通孔１９１と連通させ、支持ベース２１２の上部に開設した上部流出口は、支持ベース２１２が固定される演出装置取付凹部１９０の上部連通孔１９２と連通させ、ケース体内に下部流入口から上部流出口に向かう空気流を生じさせ、ケース体内に封入した浮遊物が空気流に乗って不規則な動きをする演出を遊技者に見せる。【選択図】図２
2012130560.tif 000002
【特許請求の範囲】
【請求項１】
遊技を演出する演出装置を備えた遊技台であって、
前記演出装置は、
流体が流入可能な流入口および流体が流出可能な流出口を有するケース体と、
前記ケース体内の流体が流入口から流出口へ向かって動く流れを生じさせる流動発生装置と、
を備え、
前記ケース体には、流体を外部から視認させ得る透視領域を設けたことを特徴とする遊技台。
【請求項２】
前記流動発生装置は、流入側に設けられた吸引装置であることを特徴とする請求項１に記載の遊技台。
【請求項３】
前記ケース体内には、流体の流れにのって浮遊する浮遊物を混入し、
前記ケース体の流入口および流出口には、浮遊物の流出を防止する流出防止手段を設けたことを特徴とする請求項１又は請求項２に記載の遊技台。
【請求項４】
前記ケース体には、内部を照らす照明手段を設けたことを特徴とする請求項１〜請求項３の何れか１項に記載の遊技台。
【請求項５】
前記演出装置における流出口から流入口へ至る密閉状の循環流路を設け、常温で液体となる物質を流体として封入するようにしたことを特徴とする請求項１〜請求項４の何れか１項に記載の遊技台。
【請求項６】
前記ケース体は、中空な多角柱状で前記透視領域が設けられる胴部と、該胴部の下部を閉塞する底部と、前記胴部の上部を閉塞すると共に流出口が設けられる天部と、を備え
前記ケース本体の底部および／または側壁に流入口を設け、流入口から流出口へ空気を流動させるようにしたことを特徴とする請求項１〜請求項４の何れか１項に記載の遊技台。
【請求項７】
前記胴部の側壁に設ける流入口は、対角となる２つの側壁に各々設けるようにしたことを特徴とする請求項６に記載の遊技台。
【請求項８】
前記ケース体には、流入口を閉止する閉止状態と、流入口を開放して空気の流入を許容する開放状態とに変換可能な流入口開閉手段を設けたことを特徴とする請求項６又は請求項７に記載の遊技台。
【発明の詳細な説明】
【技術分野】
【０００１】
本発明は、遊技上の演出効果を高めるための演出装置を備えた回胴遊技機（スロットマシン）や弾球遊技機（パチンコ機）に代表される遊技台に関する。
【背景技術】
【０００２】
従来、パチンコ機等の遊技台では、遊技盤の遊技領域に、遊技球が入賞可能な始動口と、複数個の図柄を変動表示可能な図柄表示部を備え、始動口に遊技球が入賞すると、図柄表示部の図柄を所定時間変動して、変動後の図柄が予め定めた特定図柄の組み合わせである特定態様になった場合に、可変入賞手段を所定時間開放させる等、遊技者に有利な遊技状態を発生させるようにしている。
【０００３】
この種の遊技台では、図柄表示部を画像表示装置等により構成し、その表示領域の図柄表示部に図柄を変動可能に表示すると共に、変動後の図柄が特定態様となる可能性が高いリーチ状態になった場合等、所定の条件になった場合に、表示領域の背景部分に、キャラクタ、その他の動画等を出現させて、その動画等により図柄変動を演出し、遊技者のゲームに対する興趣を喚起している。このような画像表示装置による表示演出に加えて、実際に動く可動物を設けておき、画像演出との相乗効果を期せるように、可動物を動かして遊技者の興趣を高めるような遊技台も提案されている（例えば、特許文献１を参照）。
【先行技術文献】
【特許文献】
【０００４】
【特許文献１】特開２００８−２００３０２号公報
【発明の概要】
【発明が解決しようとする課題】
【０００５】
しかしながら、上記特許文献１に記載された遊技台では、演出用の可動物の動きが一定であるために、長時間にわたって遊技を継続している遊技者にとっては新鮮味が薄れ、その動きも予測できるものとなることから、遊技者に飽きられてしまう。
【０００６】
そこで、本発明は、このような問題点を解決するためになされたもので、予測不可能な動作を実現し得る演出装置を備えた遊技台の提供を目的とする。
【課題を解決するための手段】
【０００７】
上記課題を解決するために、本発明は、遊技を演出する演出装置を備えた遊技台であって、前記演出装置は、流体が流入可能な流入口および流体が流出可能な流出口を有するケース体と、前記ケース体内の流体が流入口から流出口へ向かって動く流れを生じさせる流動発生装置と、を備え、前記ケース体には、流体を外部から視認させ得る透視領域を設けたことを特徴とする。
【発明の効果】
【０００８】
本発明に係る遊技台によれば、種々の要因が加味されることで、予測できない流動形態が生ずる演出装置を備えるものとなり、遊技者の遊技意欲を持続させることができる。
【図面の簡単な説明】
【０００９】
【図１】本発明に係る遊技台の第１実施形態であるスロットマシンの外観斜視図である。
【図２】スロットマシンから第１構成例の演出装置を分離させた斜視図である。
【図３】第１構成例である演出装置の斜視図である。
【図４】第１構成例である演出装置の分解斜視図である。
【図５】本発明に係る遊技台の第２実施形態であるパチンコ機の外観斜視図である。
【図６】（ａ）センターケースに第２構成例である演出装置を取り付けた状態の斜視図である。（ｂ）センタ−ケースと第２構成例である演出装置を分離させた斜視図である。
【図７】第２構成例である演出装置の分解斜視図である。
【図８】第３構成例である演出装置の斜視図である。
【図９】演出装置内に封入した浮遊物の説明図である。
【図１０】可変表示装置の表示と演出装置を連携させた演出の説明図である。
【図１１】第４構成例である演出装置の斜視図である。
【図１２】流入口の閉鎖・開放状態に応じた演出装置内における流体の流動形態説明図である。
【図１３】第５構成例である演出装置の斜視図である。
【図１４】第６構成例である演出装置の斜視図である。
【発明を実施するための形態】
【００１０】
以下、図面を用いて、本発明の実施形態に係る遊技台について詳細に説明する。
【００１１】
〈遊技台の第１実施形態〉
まず、図１を用いて、本実施形態に係る基板収納ケースを備える遊技体の一例として、スロットマシン１００の全体構成について説明する。なお、同図はスロットマシン１００の外観斜視図を示したものである。
【００１２】
スロットマシン１００は、略箱状の本体１０１と、この本体１０１の前面開口部に取り付けられた前面扉１０２とを有して構成されている。スロットマシン１００の本体１０１の中央内部には、外周面に複数種類の図柄が所定コマ数だけ配置されたリールが３個（左リール１１０、中リール１１１、右リール１１２）収納され、スロットマシン１００の内部で回転できるように構成されている。各図柄は帯状部材に等間隔で適当数印刷され、この帯状部材が所定の円形枠材に貼り付けられて各リール１１０〜１１２が構成されている。リール１１０〜１１２上の図柄は、遊技者から見ると、図柄表示窓１１３から縦方向に概ね３つ表示され、合計９つの図柄が見えるようになっている。そして、各リール１１０〜１１２を回転させることにより、遊技者から見える図柄の組み合せが変動することとなる。なお、本実施形態では、３個のリールをスロットマシン１００の中央内部に備えているが、リールの数やリールの設置位置はこれに限定されるものではない。
【００１３】
また、図柄表示窓１１３の外枠には、点滅や点灯などの点灯制御によって、後述する有効ラインや入賞ラインを報知するためのライン表示ＬＥＤ１２０が配置されている。
【００１４】
さらに、スロットマシン１００内部において各々のリール１１０〜１１２の近傍には、投光部と受光部からなる光学式センサ（図示省略）が設けられており、この光学式センサの投光部と受光部の間を、リールに設けられた一定の長さの遮光片が通過するように構成されている。このセンサの検出結果に基づいてリール上の図柄の回転方向の位置を判断し、目的とする図柄が入賞ライン１１４上に表示されるようにリール１１０〜１１２を停止させる。
【００１５】
入賞ライン表示ランプ１２０は、有効となる入賞ラインを示すランプである。有効となる入賞ラインは、スロットマシン１００に投入されたメダルの数によって予め定まっている。５本の入賞ライン１１４のうち、例えば、メダルが１枚投入された場合、中段の水平入賞ラインが有効となり、メダルが２枚投入された場合、上段水平入賞ラインと下段水平入賞ラインが追加された３本が有効となり、メダルが３枚投入された場合、右下り入賞ラインと右上り入賞ラインが追加された５本が入賞ラインとして有効になる。なお、入賞ライン１１４の数については５本に限定されるものではない。
【００１６】
スタートランプ１２１は、リール１１０〜１１２が回転することができる状態にあることを遊技者に知らせるランプである。再遊技ランプ１２２は、前回の遊技において入賞役の一つである再遊技役に入賞した場合に、今回の遊技が再遊技可能であること（メダルの投入が不要であること）を遊技者に知らせるランプである。告知ランプ１２３は、内部抽選において、特定の入賞役（例えば、ＢＢ（ビッグボーナス）やＲＢ（レギュラーボーナス）等のボーナス）に内部当選していることを遊技者に知らせるランプである。メダル投入ランプ１２７は、メダルの投入が可能であることを知らせるランプである。払出枚数表示器１２４は、何らかの入賞役に入賞した結果、遊技者に払出されるメダルの枚数を表示するための表示器である。遊技回数表示器１２５は、メダル投入時のエラー表示や、ビッグボーナスゲーム中（ＢＢゲーム中）の遊技回数、所定の入賞役の入賞回数等を表示するための表示器である。貯留枚数表示器１２６は、スロットマシン１００に電子的に貯留されているメダルの枚数を表示するための表示器である。リールパネルランプ１２８は、演出用のランプである。
【００１７】
メダル投入ボタン１３２、１３３は、スロットマシン１００に電子的に貯留されているメダルを所定の枚数分投入するためのボタンである。本実施形態においては、メダル投入ボタン１３２が押下される毎に１枚ずつ最大３枚まで投入され、メダル投入ボタン１３３が押下されると３枚投入されるようになっている。メダル投入口１３４は、遊技を開始するに当たって遊技者がメダルを投入するための投入口である。すなわち、メダルの投入は、メダル投入ボタン１３２または１３３により電子的に投入することもできるし、メダル投入口１３４から実際のメダルを投入することもできる。精算ボタン１３８は、スロットマシン１００に電子的に貯留されたメダルおよびベットされたメダルを精算し、メダル払出口１６５よりメダル受皿１６０に排出するためのボタンである。メダル返却ボタン１３４ａは、投入されたメダルが詰まった場合に押下してメダルを取り除くためのボタンである。
【００１８】
スタートレバー１３０は、遊技の開始操作を行うためのレバー型のスイッチである。即ち、メダル投入口１３４に所望する枚数のメダルを投入して、スタートレバー１３０を操作すると、これを契機としてリール１１０〜１１２が回転し、遊技が開始される。ストップボタン１３５は、スタートレバー１３０の操作によって回転を開始したリール１１０〜１１２に対する停止操作を行うためのボタンであり、各リール１１０〜１１２に各々対応して設けられている。そして、いずれかのストップボタン１３５を操作すると対応するいずれかのリール１１０〜１１２が停止することになる。
【００１９】
ドアキー孔１４０は、スロットマシン１００の前面扉１０２のロックを解除するためのキーを挿入する孔である。メダル払出口１６５は、メダルを払出すための払出口である。メダル受皿１６０は、メダル払出口１６５から払出されたメダルを溜めるための器である。
【００２０】
上部ランプ１５１、中央ランプ１５３，１５４、下部ランプ１５７，１５８は、遊技を盛り上げるための装飾用のランプである。上部演出装置１８０は、例えば開閉自在な扉（シャッター）が前面に取り付けられた液晶表示装置を含み、この上部演出装置１８０には、例えば小役告知等の各種の情報が表示される。音孔１７３は、スロットマシン１００内部に設けられているスピーカの音を外部に出力するための孔である。タイトルパネル１４０には、スロットマシン１００を装飾するための図柄が描かれる。
【００２１】
なお、従来のスロットマシンでは、前面扉の左右両側方には、側部ランプや要部ランプが設けられており、ランプの点灯・点滅といった比較的単調な視覚演出を行うものであったが、本実施形態に係るスロットマシン１００では、前面扉１０２の左右両側に流体を用いた演出装置２１０を設け、多様で予測できない演出を行えるようにしてある。以下、演出装置２１０につき詳述する。
【００２２】
〈第１構成例の演出装置〉
演出装置２１０は、図３〜図４に示すように、無色あるいは有色で透明な透視カバー２１１の背面側開口を支持ベース２１２で閉塞することにより、その内部に空気が流れ動く流体流動空部が形成されるケース体を構成し、そのケース体内に諸機能を設けたもので、スロットマシン１００の前面扉１０２の左右両側に設けた演出装置取付凹部１９０に装着される。
【００２３】
透視カバー２１１と支持ベース２１２よりなるケース体の形状としては、単純な四角柱状でも構わないが、スロットマシン１００の外観を損ねないように、例えば、上部から中央下部にかけて前方へ徐々に膨出し、最も膨出した部位から下方に向かって再び膨出量が減って行く複雑な形状とした。このような外観形状とすれば、外観における意匠的価値を高めることに加えて、ケース体内の流体流動空部における空気の流れを複雑にできるという利点もある。無論、比較的単純な形状として多角柱状のケース体を用いた場合でも、多様な流体流動を実現可能であるし、形状の加工容易性からコストを下げられるというメリットがある。
【００２４】
支持ベース２１２の下部には下部流入口２１２ａを、上部には上部流出口２１２ｂを各々形成してあり、この支持ベース２１２が固定される演出装置取付凹部１９０の下部には下部連通孔１９１を、上部には上部連通孔１９２を各々開設してあり、本体１０１内の空間と演出装置２１０とは、上下２箇所で連通することとなる。そして、下部には流体導入ボックス２１３を、上部には流体導出ボックス２１４を設け、流体導入ボックス２１３から流体流動空部内に入った空気は、流体導出ボックス２１４から排出されるように、上向きに流れて行く。
【００２５】
流体導入ボックス２１３は、ボックス本体２１３ａと浮遊物流出防止ネット２１３ｂからなり、ボックス本体２１３ａは、例えば上下に薄い中空箱状の六面体である。ボックス本体２１３ａの後方面には、支持ベース２１２の下部流入口２１２ａに対応する後方開口２１３ａ１を設け、この後方開口２１３ａを介して内空部に空気が入り、上面に設けた流体導入開口２１３ａ２から流体流動空部内へ流体を導入できるものである。なお、流体流動空部内には浮遊物２１５を封入するため、この浮遊物２１５が流体導入開口２１３ａ２から抜け出すことがないように、浮遊物２１５の大きさよりも目が細かい浮遊物流出防止ネット２１３ｂで流体導入開口２１３ａ２を閉塞する。
【００２６】
一方、流体導出ボックス２１４は、ボックス本体２１４ａとモータ２１４ｂ１とプロペタ２１４ｂ２と浮遊物流出防止ネット２１４ｃからなり、ボックス本体２１４ａは、中空箱状の六面体である。ボックス本体２１４ａの下面には、流体導出開口２１４ａ２を設け、この流体導出開口２１４ａを介して流体流動空部内の空気をボックス本体２１４ａ内へ導き、ボックス本体２１４ａの後面に設けられた後方開口２１４ａ１が、支持ベース２１２の上部流出口２１２ｂに対応していることから、ボックス本体２１４ａ内の空気はスロットマシン１００の本体１０１内へ排出されることとなる。なお、流体導出開口２１４ａ２から浮遊物２１５が抜け出すことがないように、浮遊物２１５の大きさよりも目が細かい浮遊物流出防止ネット２１４ｃで流体導出開口２１４ａ２を閉塞する。
【００２７】
また、プロペラ２１４ｂ２は、その回転方向によって吸引と吐出が変わるが、流体流動部側を負圧にする（ボックス本体２１４ａ内が正圧となる）よう設定（プロペラ２１４ｂ２の向き、或いはモータ２１４ｂ１の回転方向を調整）すれば、ケース体内の空気が下部流入口２１２ａから上部流出口２１２ｂへ向かって動く流れを生じさせる流動発生装置として機能させることができる。
【００２８】
さらに、支持ベース２１２の前側平坦面には、ＬＥＤを適宜設けた発光パネル２１６を複数配設することで、流体流動空部内を照らす照明手段を構成するものとした。斯くすれば、流体流動空部内に封入される浮遊物２１５が比較的小さなものであっても、流体流動空部内における空気の流動により舞い上げられた浮遊物２１５の動きをスロットマシン１００の前面から視認しやすくすることができ、演出効果を高めることが可能となる。なお、ＬＥＤの発光強度や数、配設位置などは特に限定されるものではなく、所望の演出効果が得られれば、１つのＬＥＤ単独で照明手段を構成するものでも構わない。
【００２９】
なお、浮遊物２１５の大きさや形状は特に限定されるものではないが、少なくとも、流体導出ボックス２１４によって生ずる空気流動で、空気の動きに追随できる軽量なものを用いる必要があり、紙片のように空気抵抗の高いものも有効である。また、浮遊物の外表面を光反射率の高い光沢面としたり、蛍光塗料を塗布したりすると、照明手段による照明効果と相俟って、一層高い演出効果を期待できる。このような照明手段を設ける場合には、透視カバー２１１を光透過率の低い素材で構成しておくことで、通常は演出装置２１０のケース体内が視認困難な状態とし、演出開始に伴って照明手段を作動させたときにだけケース体内が視認できる状態にすることができ、急に見えるようになった演出装置２１０へ遊技者の注意を喚起できると共に、演出装置２１０による流体流動演出を遊技者に強く印象付けられるという利点もある。
【００３０】
上述したように、空気の流動を浮遊物２１５の動きによって見せる演出装置２１０においては、流体流動空部内における空気の流動態様が浮遊物２１５の動きの面白みを左右するのであるから、単純に下方から上方へ向かう空気流ではなく、螺旋状に上昇して行く竜巻状の空気流を生じさせることができれば、一層興趣を高めることができる。そこで、本構成例の演出装置２１０においては、透視カバー２１１の相対向する２壁面である、第１側壁２１１ａと第２側壁２１１ｂに、第１側方流入口２１７ａ…と第２側方流入口２１７ｂ…を各々縦一列に複数設けるものとした。なお、渦流を発生させるために、第１側方流入口２１７ａと第２側方流入口２１７ｂを対角状に配置とすることが望ましいので、例えば、第１側方流入口２１７ａは支持ベース２１２に近い位置に、他方の第２側方流入口２１７ｂは支持ベース２１２から隔たった位置に設けるものとした。
【００３１】
〈遊技台の第２実施形態〉
また、本発明に係る遊技台は、メダル（コイン）を遊技媒体としたスロットマシンに限らず、遊技球（例えば、パチンコ玉）を遊技媒体としたパチンコ機などにも適用可能である。
【００３２】
図５に示す遊技台は、「所定の遊技領域に遊技球を発射する発射装置と、発射装置から発射された遊技球を入球可能に構成された入賞口と、入賞口に入球した遊技球を検知する検知手段と、検知手段が遊技球を検知した場合に遊技球（賞球）を払出す払出手段と、所定の図柄(識別情報)を変動表示する可変表示装置を備え、入賞口に遊技球が入って入賞することを契機として、可変表示装置が図柄を変動させた後に停止表示させて、遊技状態の推移を告知するようなパチンコ機３００」である。
【００３３】
このパチンコ機３００は、球皿３０１に入れた遊技球が発射装置の発射位置に供給され、操作ハンドル３０２を遊技者が操作することで発射装置により遊技球が発射され、ガイドレール３０３により形成された発射流路を通って遊技領域３０４へ到達した遊技球は、一般入賞口３０５或いは始動入賞口３０６に入賞するか、何れにも入賞せずにアウト口３０７から回収される。運良く始動入賞口３０６に遊技球が入賞すると、センターケース３０８の表示窓３０８ａに可変表示装置３０９を臨ませたセンター役物３１０による可変表示ゲームが開始され、第１可変表示領域３０９ａ、第２可変表示領域３０９ｂ、第３可変表示領域３０９ｃによる図柄の変動表示が開始され、その後、適宜なタイミングで第１〜第３可変表示領域３０９ａ〜３０９ｃの図柄が順番に停止表示され、停止表示された図柄の組み合わせが、予め定めたアタリ態様（例えば、「３３３」、「７７７」等のぞろ目の組み合わせ）に該当すると、大入賞口装置３１１の大入賞口３１１ａが開いて、遊技者が比較的短時間で大量の賞球を獲得できる可能性のある大当り遊技が開始される。しかして、センター役物３１０には、第２構成例の演出装置２２０を設けてあり、可変表示装置３０９による表示演出に加えて、演出装置２２０を用いた流体の流動形態による演出で、遊技者を楽しませるものとした。以下、図６および図７に基づいて、第２構成例の演出装置２２０について説明する。
【００３４】
〈第２構成例の演出装置〉
演出装置２２０は、センターケース３０８の表示窓３０８ａの一側方（図５，６においては、紙面に向かって右側）に形成した演出装置配置領域３０８ｂに配置されるもので、可視光域で透明な部材（例えば、透明な樹脂やガラス等）で形成された中空で上下が開放する四角柱状の胴部２２１と、胴部２２１の下部開口２２１ａに取り付けられる底部２２２と、胴部２２１の上部開口２２１ｂに取り付けられる天部２２３と、底部２２２に開設した流入口２２２ａを閉塞する浮遊物流出防止ネット２２４と、天部２２３に開設した流出口２２３ａを閉塞する浮遊物流出防止ネット２２５と、天部２２２の流出口２２３ａから空気を吸引するようにモータ２２５によってプロペラ２２６ｂを回転させる吸引装置２２６とから成る。
【００３５】
なお、図示を省略したが、胴部２２１の上下開口を底部２２２と天部２２３で塞いだケース体内には、適宜な浮遊物を封入してあり、吸引装置２２６が作動することでケース体内の流体流動空部内に空気流を生じさせ、可変表示装置３０９を注視する遊技者から見え易い位置で、演出装置２２０による演出を行うことができる。本構成例の演出装置２２０は、四側面が全て透明であるから、ケース体内の視認性が良いので、照明手段を設けるまでもないが、多様な演出を行うために照明手段を設けるようにしても良い。
【００３６】
また、演出装置２２０をセンターケース３０８の演出装置配置領域３０８ｂへ配置するとき、底部２２２とセンターケース３０８の底板との間に空気導入空間が形成されるように下部スペーサ２２７を介在させると共に、天部２２３とセンターケース３０８の天板との間に空気導出空間が形成されるように上部スペーサ２２８を介在させる。なお、上部スペーサ２２８は、吸引装置２２６が遊技者から見えて美観を損ねないようにする装飾パネルとしても機能する。
【００３７】
〈第３構成例の演出装置〉
図８に示す演出装置２３０は、上述した第２構成例に係る演出装置２２０と同様に、透明な樹脂やガラス等で形成された中空で上下が開放する四角柱状の胴部２３１と、胴部２３１の下部開口２３１ａに取り付けられる底部２３２と、胴部２３１の上部開口２３１ｂに取り付けられる天部２３３と、底部２３２に開設した流入口２３２ａを閉塞する浮遊物流出防止ネット２３４と、天部２３３に開設した流出口２３３ａを閉塞する浮遊物流出防止ネット２３５と、天部２３２の流出口２３３ａから空気を吸引する吸引装置２３６とから成る。
【００３８】
更に、胴部２３１の第１側壁２３１ｃと第２側壁２３１ｄ（遊技者に面した前面壁と、この前面壁と対向する後面壁を除いた残り２つの側壁）には、例えば、縦長の第１側方流入スリット２３７ａおよび第２側方流入スリット２３７ｂを各々設けておき、下から上に向かう空気流を生じさせることで、ケース体内に渦流を発生させるものとした。なお、２つの側方流入口が角部に近い位置で対角状に対峙するように、例えば、第１側壁２３１ｃの第１側方流入スリット２３７ａは後方に偏らせて配置し、第２側壁２３１ｄの第２側方流入スリット２３７ｂは前方に偏らせて配置するようにした。また、第１，第２側方流入スリット２３７ａ，２３７ｂには、各々側方浮遊物流出防止ネット２３８を設けてある。
【００３９】
上述した演出装置２３０のケース体内に封入する浮遊物も、特に限定されるものではないが、例えば、図９（ａ）に示すように、発泡樹脂を小判のような形状に成型した第１浮遊物２３９ａを用いたり、図９（ｂ）に示すように、コインを想起させる丸い紙片の第２浮遊物２３９ｂを用いたり、図９（ｃ）に示すように、第１浮遊物２３９ａと第２浮遊物２３９ｂを混ぜて用いても良い。
【００４０】
或いは、当該パチンコ機３００の機種に応じた象徴的なキャラクタ等を模した浮遊物を用いることで、可変表示ゲームと連動した演出を行うこともできる。例えば、図１０（ａ）に示す状態から可変表示ゲームが開始され、第１〜第３図柄が変動表示されている最中に、特定キャラクタ３０９ｄが図柄表示領域を横切って演出装置２３０の中に入っていくような表示演出を行い（図１０（ｂ）を参照）、可変表示ゲームで２つの図柄が揃ったリーチの発生に伴って、演出装置２３０の吸引装置２３６を作動させることで、ケース体内に竜巻状の空気流を生じさせると、それまでは下方部に隠れていた浮遊物２３９ｃ（特定キャラクタ３０９ｄを模した浮遊物）が空気流に乗って浮き上がることで遊技者から見える状態となり（図１０（ｃ）を参照）、リーチ演出を効果的に盛り上げることができる。
【００４１】
〈第４構成例の演出装置〉
図１１に示す演出装置２４０は、上述した第３構成例に係る演出装置２３０と同様に、透明部材（例えば、透明な樹脂やガラス等）で形成された中空で上下が開放する四角柱状の胴部２４１と、胴部２４１の下部開口２４１ａに取り付けられる底部２４２と、胴部２４１の上部開口２４１ｂに取り付けられる天部２４３と、該天部２４３に開設した流出口２４３ａから空気を吸引する吸引装置２４４とから成る。
【００４２】
更に、底部２４２に開設した流入口２４２ａには、これを開放したり閉塞したりする底部流入口開閉手段２４５を設け、パチンコ機３００の制御装置からの開閉指令に応じてソレノイド２４５ａがオン・オフされると、ソレノイド２４５ａのプランジャが底部シャッター部材２４５ｂを押し出したり引き戻したりすることで、底部シャッター部材２４５ａが流入口２４２ａを塞いだ閉状態と、底部シャッター部材２４５ｂが流入口２４２ａから退いて開放した開放状態とに変換することができる。
【００４３】
また、胴部２４１の第１側壁２４１ｃと第２側壁２４１ｄ（遊技者に面した前面壁と、この前面壁と対向する後面壁を除いた残り２つの側壁）には、例えば、複数の側方流入口２４６を縦方向に列設してあり、これを開放したり閉塞したりする側方流入口開閉手段２４７を設け、パチンコ機３００の制御装置からの開閉指令に応じてソレノイド２４７ａがオン・オフされると、ソレノイド２４７ａのプランジャが側部シャッター部材２４７ｂを押し出したり引き戻したりすることで、側部シャッター部材２４７ａが側方流入口２４６を塞いだ閉状態と、側部シャッター部材２４７ｂが側方流入口２４６から退いて開放した開放状態とに変換することができる。なお、図１１においては、図示を省略したが、第２側壁２４１ｄ側の側方流入口２４６にも側方流入口開閉手段２４７を設けて、開閉制御できるようにしてある。
【００４４】
本構成例の演出装置２４０においては、底部の流入口２４２ａの開閉状態および側部流入口２４６の開閉状態によって、ケース体内部の空気流（流体流動態様）を様々に変化させることができる。すなわち、図１２（ａ）に示すように、底部流入口開閉手段２４５および側方流入口開閉手段２４７の両方をオンにして、底部の流入口２４２ａと側部流入口２４６の両方を開くと、ケース体内の流体流動空部には上方部に達する竜巻状の渦流が発生し、図１２（ｂ）に示すように、底部流入口開閉手段２４５および側方流入口開閉手段２４７の両方をオフにして、底部の流入口２４２ａと側部流入口２４６の両方を閉じると、ケース体内の流体流動空部には上下方向の対流が発生し、図１２（ｃ）に示すように、底部流入口開閉手段２４５をオフにして底部の流入口２４２ａを閉じると共に、側方流入口開閉手段２４７をオンにして側部流入口２４６を開くと、ケース体内の流体流動空部には下方部のみに竜巻状の渦流が発生する。
【００４５】
従って、本構成例の演出装置２４０を用いたパチンコ機３００においては、底部流入口開閉手段２４５および側方流入口開閉手段２４７のオン・オフ制御によって、演出装置２４０における流体流動形態を多様に変化させることができるので、様々な演出に適用することが可能となる。なお、演出装置２４０内に、前述した種々の浮遊物を封入して、浮遊物流出防止構造を採用しても良い。或いは、流体流動演出の開始に伴って、有色の気体や紫煙のような微小固体粒をケース体内へ供給することで、流体流動形態を遊技者が視認し易くなるようにしても良い。
【００４６】
なお、上述した第１〜第４構成例の各演出装置では、封入した浮遊物が流体流動によってケース体内を自由に浮遊するものとしたが、例えば、ケース体内壁面（側壁、底部、頂部の何れでも構わない）に一部が固定された揺動体（例えば、紙や布等の軽量素材を任意の形状としたもの）を設けておき、ケース体内に発生させた流体流動によって揺動体が海草のように揺れ動く演出を行うようにしても良い。また、ケース体に設けた回転軸によって自由回転可能な回転体をケース体内に設けておき、ケース体内に発生させた流体流動によって回転体が風車のように回転する演出を行うようにしても良い。この回転体として、回転軸に沿って設けた円筒状の回転支持体の周壁より相対する二方向へ突出する一対の発光腕部を設け、両発光腕部にＬＥＤ等の発光手段を設けておく構造とすれば、回転支持体の回転に伴って発光腕部から回転軸に直交して照射される光で回転灯のように見せる演出を行うことができる。また、回転支持体の頂部（軸支されていない自由端部）にも発光源を設けるようにしても良い。なお、発光手段への給電用電源を回転体の内部（回転支持体あるいは発光腕部の内部）に設けると、それだけ回転体の重量が重くなって、流体流動による回転体の動きも緩慢になるので、演出効果を高められるとは言えず、かといって、外部の電源から照明手段へ給電するために高価なロータリージョイント等を用いることは現実的ではないので、例えば、ケース体外に設けた光源からの光を回転軸の中心空部より照射し、これを回転体の回転支持体内に配置した光ファイバにより発光腕部まで導光する構造を採用しても良い。
【００４７】
〈第５構成例の演出装置〉
上述したいくつかの実施形態では、流体として空気を用いることから、流入口側の空気をケース体内に吸い込んで、流出口側へ吐き出すことから、遊技台の設置された環境での空気対流に依存しており、演出装置２１０〜２４０による流体流動演出で、少なからぬ空気の対流が生じた場合、当該遊技台で遊技を行っている遊技者が、その空気の対流をすきま風のように不快と感じる懸念もある。そこで、図１３に示す第５構成例の演出装置２５０では、流体たる空気の循環流路を備えるものとした。
【００４８】
第５構成例に係る演出装置２５０は、透明部材（例えば、透明な樹脂やガラス等）で形成された中空で上下が開放する四角柱状の胴部２５１と、胴部２５１の下部開口２５１ａに取り付けられる底部２５２と、胴部２５１の上部開口２５１ｂに取り付けられる天部２５３と、該天部２５３に開設した流出口２５３ａから空気を吸引する吸引装置２５４とから成り、天部２５３の流出口２５１ｂは、流出側循環パイプ２５５に接続し、底部２５２の流入口２５２ａは流入側循環パイプ２５６に接続し、これら流出側循環パイプ２５５と流入側循環パイプ２５６の他端側は、遊技台等に固定される固定支持部２５７を介して連結する。これにより、ケース体の流出口２５１ｂから吸い出された空気は、そのまま流出側循環パイプ２５５および流入側循環パイプ２５６を経て、ケース体の流入口２５２ａからケース体内へ流入するので、遊技台の設置環境に大きな空気流を生じさせることを回避できる。
【００４９】
なお、演出装置２５０においては、胴部２５１の第１側壁２５１ｃと第２側壁２５１ｄ（遊技者に面した前面壁と、この前面壁と対向する後面壁を除いた残り２つの側壁）には、例えば、縦長の側方流入スリット２５８を設けておき、下から上に向かう空気流を生じさせることで、ケース体内に渦流を発生させるものとしたため、側方流入スリット２５８を介して空気の流入・流出が生じるが、それは微々たるものであり、主たる空気流は流出側循環パイプ２５５および流入側循環パイプ２５６を経て循環するので、大きな障害となることはない。また、演出装置２５０の稼動時間が長くなると、吸引装置２５４の作動によって側方流入スリット２５８からケース体内に流入した空気により内部圧力が高まって、それ以上は側方流入スリット２５８からの空気流入が抑制され、竜巻状の渦流が発生しなくなる可能性があるので、例えば、固定支持部２５７に気圧調整用の通孔を設けておくようにしても良い。
【００５０】
〈第６構成例の演出装置〉
上述したいくつかの実施形態では、流体として空気を用いたが、遊技台が設置される常温環境において液体となる物質（例えば、水やフッ素系不活性液体など）を流体流動演出用の流体として用いても良い。その場合、液体の漏洩によって、遊技台が損傷を受けないように、完全な密閉状体で循環させる必要がある。そこで、図１４に示す第６構成例の演出装置２６０では、流体たる液体の密閉循環流路を備えるものとした。
【００５１】
第６構成例に係る演出装置２６０は、透明部材（例えば、透明な樹脂やガラス等）で形成された中空で上下が開放する四角柱状の胴部２６１と、胴部２６１の下部開口２６１ａに取り付けられる底部２６２と、胴部２６１の上部開口２６１ｂに取り付けられる天部２６３と、底部２６２に開設した流入口２６２ａから液体を吸引する吸引装置２６４とから成り、天部２６３の流出口２６１ｂは、流出側密閉循環パイプ２６５と隙間無く接続し、底部２６２の流入口２６２ａは流入側密閉循環パイプ２６６と隙間無く接続し、これら流出側密閉循環パイプ２６５と流入側密閉循環パイプ２６６の他端側は、遊技台等に固定される固定支持部２６７を介して密閉状に連結する。これにより、ケース体の流出口２６１ｂから吸い出された液体は、そのまま流出側密閉循環パイプ２６５および流入側密閉循環パイプ２６６を経て、ケース体の流入口２６２ａからケース体内へ流入することとなり、密閉環境での液体循環が実現できる。
【００５２】
以上の第１〜第６構成例として説明した演出装置２１０〜２６０は、何れも、１つのケース体で構成するものとしたが、複数のケース体を備える演出装置としても良い。例えば、形状の異なる第１ケース体と第２ケース体を組み合わせ、第１ケース体の流入口から流体流動空部内へ流入した流体を第１ケース体の流出口および第２ケース体の流入口を介して第２ケース体の流体流動空部内へ導入して、第２ケース体の流出口より流体を排出する構成とすれば、その形状に応じて、第１ケース体内における流体流動態様と第２ケース体内における流体流動態様を異ならしめることができるし、第１ケース体内に封入する浮遊物と第２ケース体内に封入する浮遊物を変えておけば、視覚的効果を更に高めることが可能となる。このように、複数のケース体を備える演出装置とすれば、演出の幅を一層広げることができる。
【００５３】
最後に、本発明に関係することについて付記する。なお、以下の付記中の用語のうち、特許請求の範囲に用いた用語と共通の用語は、特許請求の範囲に用いた用語をさすものとする。
【００５４】
（付記１）
遊技を演出する演出装置を備えた遊技台であって、前記演出装置（例えば、演出装置２１０、２２０、２３０、２４０、２５０、２６０）は、流体（例えば、空気、液体）が流入可能な流入口（例えば、下部流入口２１２ａ、後方開口２１３ａ１、流体導入開口２１３ａ２、２２２ａ、流入口２４２ａ、２５２ａ、２６２ａ）および流体が流出可能な流出口（例えば、上部流出口２１２ｂ、後方開口２１４ａ１、流体導入開口２１４ａ２、２２３ａ、流出口２５３ａ、）を有するケース体と、前記ケース体内の流体が流入口から流出口へ向かって動く流れを生じさせる流動発生装置と、を備え、前記ケース体には、流体を外部から視認させ得る透視領域（例えば、透視カバー２１１、胴部２２１、胴部２３１、胴部２４１、胴部２５１、胴部２６１）を設けたことを特徴とする遊技台。斯く構成すれば、透視領域より遊技者が視認できる流体の流動態様は、一定の単調な動作ではなく、自然界の多様な要因の影響を受けて変化し続けることから、飽きが来ない動的演出を行える演出装置を実現可能である。なお、流体としては、流動発生装置により流動させることが可能ならば、液体でも気体でも構わないが、高粘性や高比重の液体は流動発生装置に高負荷がかかる点で、注意を要する。また、流体として、複数種類の液体や気体を混合して流動させるようにしても良い。
【００５５】
（付記２）
また、前記流動発生装置は、流入側に設けられた吸引装置（例えば、吸引装置２２６、２３６、２４４、２５４、２６４）であっても良い。斯く構成すれば、底部に流入口が設けられていても、流入側で流体を吸入すれば、流入側で確実に流動を引き起こすことができる。なお、流出側に設けられた吐出装置を流動発生装置として用いても良いし、ケース体における流入口の外側に配置した吐出装置によってケース体内へ流体を送り込むようにしても良いし、ケース体における流出口の外側に配置した吸入装置によってケース体内から流体を吸い出すようにしても良い。何れにしても、ケース体内に生じさせたい流体の流動方向に対して、流体を吸引するか吐出するかは、流動発生装置の配設位置および配設方向により定まるので、吸引装置と同等機能を吐出装置によって実現することが可能である。
【００５６】
（付記３）
また、前記ケース体内には、流体の流れにのって浮遊する浮遊物（例えば、浮遊物２１５、２３９ｃ、第１浮遊物２３９ａ、第２浮遊物２３９ｂ）を混入し、前記ケース体の流入口および流出口には、浮遊物の流出を防止する流出防止手段（例えば、浮遊物流出防止ネット２１３ｂ、２１４ｃ、２２３、２２４、２３４、２３５）を設けても良い。斯く構成すれば、流体の流動形態を浮遊物の動きによって視認し易くなり、浮遊物の動きによって遊技者の興趣を高めるという効果もある。
【００５７】
（付記４）
また、前記ケース体には、内部を照らす照明手段（例えば、発光パネル２１６）を設けても良い。斯くすれば、照明による演出効果を高めることができるし、ケース体内の視認性が良くなることで、流体の流動形態を遊技者が見易くなると言う利点もある。
【００５８】
（付記５）
また、前記演出装置における流出口から流入口へ至る密閉状の循環流路（例えば、流出側循環パイプ２５５、流入側循環パイプ２５６、流出側密閉循環パイプ２６５、流入側密閉循環パイプ２６６）を設け、常温で液体となる物質を流体として封入するようにしても良い。斯くすれば、遊技台の機能を損なうことなく、様々な色、比重の液体を流体として用いることができ、演出のバリエーションを増やせるという利点がある。
【００５９】
（付記６）
また、前記ケース体は、中空な多角柱状で前記透視領域が設けられる胴部（例えば、胴部２２１、２３１、２４１、２５１、２６１）と、該胴部の下部を閉塞する底部（例えば、底部２２２，２３２、２４２、２５２、２６２）と、前記胴部の上部を閉塞すると共に流出口が設けられる天部（例えば、天部２２３、２３３、２４３、２５３、２６３）と、を備え前記ケース本体の底部および／または側壁に流入口（例えば、流入口２２２ａ、２３２ａ、２４２ａ、２５２ａ、２６２ａ、第１側方流入口２１７ａ…、第２側方流入口２１７ｂ…、第１側方流入スリット２３７ａ、第２側方流入スリット２３７ｂ、側方流入口２４６、側方流入スリット２５８）を設け、流入口から流出口へ空気を流動させるようにしても良い。斯くすれば、底部だけに流入口を設けたり、側壁にだけ流入口を設けたり、或いは底部と側壁の両方に流入口を設けたりできるので、底部から天部へ向かう比較的単純な気流に制限されることなく、胴部の側壁からケース体内への空気流入も可能となることから、ケース体内における流体の流動形態を一層複雑にし、より興趣を高めることができる。
【００６０】
（付記７）
また、前記胴部の側壁に設ける流入口（例えば、第１側方流入口２１７ａと第２側方流入口２１７ｂ、第１側方流入スリット２３７ａと第２側方流入スリット２３７ｂ、側方流入口２４６、側方流入スリット２５８）は、対角となる２つの側壁に各々設けるようにしても良い、斯くすれば、ケース体内に竜巻状の流動形態を発生させることが可能となる。
【００６１】
（付記８）
また、前記ケース体には、流入口を閉止する閉止状態と、流入口を開放して空気の流入を許容する開放状態とに変換可能な流入口開閉手段（例えば、底部流入口開閉手段２４５、側方流入口開閉手段２４７）を設けても良い。斯くすれば、流入口開閉手段の状態変換に応じて、ケース体内における流動形態を変化させることができ、より興趣を高めることができる。
【符号の説明】
【００６２】
１００      スロットマシン
２１０      演出装置
２１１      透視カバー
２１２      支持ベース
２１２ａ    下部流入口
２１２ｂ    上部流出口
２１３      流体導入ボックス
２１３ａ    ボックス本体
２１３ａ１  後方開口
２１３ａ２  流体導入開口
２１３ｂ    浮遊物流出防止ネット
２１４      流体導出ボックス
２１４ａ    ボックス本体
２１４ａ１  後方開口
２１４ａ２  流体導出開口
２１４ｂ１  モータ
２１４ｂ２  プロペラ
２１４ｃ    浮遊物流出防止ネット
２１５      浮遊物
【図１】
2012130560.tif 000003
【図２】
2012130560.tif 000004
【図３】
2012130560.tif 000005
【図４】
2012130560.tif 000006
【図５】
2012130560.tif 000007
【図６】
2012130560.tif 000008
【図７】
2012130560.tif 000009
【図８】
2012130560.tif 000010
【図９】
2012130560.tif 000011
【図１０】
2012130560.tif 000012
【図１１】
2012130560.tif 000013
【図１２】
2012130560.tif 000014
【図１３】
2012130560.tif 000015
【図１４】
2012130560.tif 000016